(57)【要約】【課題】運転者に車両情報とコンテンツ画像を安定して提供する車両用コンテンツデータ表示システムを提供すること。【解決手段】第１コンテンツ処理装置１はコンテンツサーバ装置４から取得したコンテンツを画像データに変換して、車両情報表示装置２に出力する。コンテンツ処理中に障害が発生した場合、第１コンテンツ処理装置１はコンテンツ処理状態情報を第１コンテンツ表示装置３に送信する。第１コンテンツ表示装置３はコンテンツ処理状態情報に基づいてコンテンツをコンテンツサーバ装置４から取得し、コンテンツ符号化画像を生成し、車内ネットワーク５を介して第１コンテンツ処理装置１に出力する。【選択図】図１
2012090088.tif 000002
【特許請求の範囲】
【請求項１】
ネットワークを介してコンテンツを供給するコンテンツ供給部を備えたコンテンツサーバ装置と、
前記ネットワークへのデータ送信、及び前記ネットワークからのデータ受信を行う第一のデータ送受信部と、前記第一のデータ送受信部を介して前記コンテンツサーバ装置が供給するコンテンツを取得し、取得したコンテンツから第一のコンテンツ画像信号を生成して出力する第一のコンテンツ処理部と、前記第一のコンテンツ画像信号を装置外部に送信する第一の映像信号送信部を備えた第一のコンテンツ処理装置と、
前記ネットワークから分離して設けられた車両情報通信ラインに接続され、車両情報を受信する車両情報受信部と、受信した車両情報から車両情報画像信号を生成する車両情報画像生成部と、前記第一のコンテンツ処理装置が出力した前記第一のコンテンツ画像信号を受信する映像信号受信部と、前記第一のコンテンツ画像信号と、前記車両情報画像信号を表示する車両情報表示部を備えた車両情報表示装置と、
前記ネットワークへのデータ送信、及び前記ネットワークからのデータ受信を行う第二のデータ送受信部と、  前記第二のデータ送受信部を介して前記コンテンツサーバ装置が供給するコンテンツを取得し、取得したコンテンツから第二のコンテンツ画像信号を生成する第二のコンテンツ処理部と、前記第二のコンテンツ画像信号を表示するコンテンツ表示部を備えたコンテンツ表示装置を備えたことを特徴とする車両用コンテンツデータ表示システム。
【請求項２】
前記第一のコンテンツ処理装置が第一のコンテンツ処理監視部をさらに備え、
前記第一のコンテンツ処理監視部が前記第一のコンテンツ処理部の障害を検出すると、前記コンテンツ表示装置にコンテンツ処理状態情報を送信し、
前記コンテンツ表示装置の第二のコンテンツ処理部が前記コンテンツ処理状態情報に基づいて前記コンテンツサーバ装置からコンテンツを取得し、前記コンテンツ処理状態情報に基づいて、取得したコンテンツから第二のコンテンツ画像信号を生成することを特徴とする請求項１に記載の車両用コンテンツデータ表示システム。
【請求項３】
前記コンテンツ表示装置が第一のコンテンツ画像符号化部をさらに備え、
前記第一のコンテンツ処理装置が第一のコンテンツ画像復号化部をさらに備え、
前記第一のコンテンツ画像符号化部が前記第二のコンテンツ画像信号を符号化してコンテンツ符号化画像を生成し、前記第二のデータ送受信部を介してコンテンツ符号化画像信号を前記第一のコンテンツ処理装置に送信し、
前記第一のデータ送受信部が前記コンテンツ符号化画像信号を受信し、
前記第一のコンテンツ画像復号化部が前記コンテンツ符号化画像信号を復号化して第二のコンテンツ画像信号を生成し、
前記第一の映像信号送信部が前記第二のコンテンツ画像信号を前記車両情報表示装置に送信することを特徴とする請求項２に記載の車両用コンテンツデータ表示システム。
【請求項４】
前記コンテンツ表示装置が第二のコンテンツ処理監視部をさらに備え、
前記第二のコンテンツ処理監視部は、前記第二のコンテンツ処理部の障害を検出すると、前記第一のコンテンツ処理装置にコンテンツ処理状態情報を送信し、
前記第一のコンテンツ処理装置の第一のコンテンツ処理部が前記コンテンツ処理状態情報に基づいて前記コンテンツサーバ装置からコンテンツを取得し、
前記第一のコンテンツ処理部が前記コンテンツ処理状態情報に基づいて、取得したコンテンツから第一のコンテンツ画像信号を生成することを特徴とする請求項１に記載の車両用コンテンツデータ表示システム。
【請求項５】
前記第一のコンテンツ処理装置が第二のコンテンツ画像符号化部をさらに備え、
前記コンテンツ表示装置が第二のコンテンツ画像復号化部をさらに備え、
前記第二のコンテンツ画像符号化部が前記第一のコンテンツ画像信号を符号化してコンテンツ符号化画像を生成し、
前記第一のデータ送受信部がコンテンツ符号化画像信号を前記コンテンツ表示装置に送信し、
前記第二のデータ送受信部が前記コンテンツ符号化画像信号を受信し、
前記第二のコンテンツ画像復号化部が前記コンテンツ符号化画像信号を復号化し、前記コンテンツ表示部に表示することを特徴とする請求項４に記載の車両用コンテンツデータ表示システム。
【請求項６】
第二のコンテンツ処理装置をさらに備え、
前記第二のコンテンツ処理装置は、
前記ネットワークへのデータ送信、及び前記ネットワークからのデータ受信を行う第三のデータ送受信部と、
前記第三のデータ送受信部を介して前記コンテンツサーバ装置が供給するコンテンツを取得し、取得したコンテンツから第三のコンテンツ画像信号を生成して出力する第三のコンテンツ処理部と、
前記第三のコンテンツ画像信号を装置外部に送信する第二の映像信号送信部とを備え、
前記コンテンツ表示装置は、
前記第二のコンテンツ処理部を含まず、
前記コンテンツ表示部が前記第三のコンテンツ画像信号を表示することを特徴とする請求項１に記載の車両用コンテンツデータ表示システム。
【請求項７】
前記第一のコンテンツ処理装置が第一のコンテンツ処理監視部をさらに備え、
前記第一のコンテンツ処理監視部が前記第一のコンテンツ処理部の障害を検出すると、前記第二のコンテンツ処理装置にコンテンツ処理状態情報を送信し、
前記第二のコンテンツ処理装置の第三のコンテンツ処理部が前記コンテンツ処理状態情報に基づいて前記コンテンツサーバ装置からコンテンツを取得し、前記コンテンツ処理状態情報に基づいて、取得したコンテンツから第三のコンテンツ画像信号を生成することを特徴とする請求項６に記載の車両用コンテンツデータ表示システム。
【請求項８】
前記第二のコンテンツ処理装置が第三のコンテンツ画像符号化部をさらに備え、
前記第一のコンテンツ処理装置が第一のコンテンツ画像復号化部をさらに備え、
前記第三のコンテンツ画像符号化部が前記第三のコンテンツ画像信号を符号化してコンテンツ符号化画像を生成し、前記第三のデータ送受信部を介してコンテンツ符号化画像信号を前記第一のコンテンツ処理装置に送信し、
前記第一のデータ送受信部が前記コンテンツ符号化画像信号を受信し、
前記第一のコンテンツ画像復号化部が前記コンテンツ符号化画像信号を復号化して第三のコンテンツ画像信号を生成し、
前記第一の映像信号送信部が前記第三のコンテンツ画像信号を前記車両情報表示装置に送信することを特徴とする請求項７に記載の車両用コンテンツデータ表示システム。
【請求項９】
前記第二のコンテンツ処理装置が第三のコンテンツ処理監視部をさらに備え、
前記第三のコンテンツ処理監視部は、前記第三のコンテンツ処理部の障害を検出すると、前記第一のコンテンツ処理装置にコンテンツ処理状態情報を送信し、
前記第一のコンテンツ処理装置の第一のコンテンツ処理部が前記コンテンツ処理状態情報に基づいて前記コンテンツサーバ装置からコンテンツを取得し、
前記第一のコンテンツ処理部が前記コンテンツ処理状態情報に基づいて、取得したコンテンツから第一のコンテンツ画像信号を生成することを特徴とする請求項６に記載の車両用コンテンツデータ表示システム。
【請求項１０】
前記第一のコンテンツ処理装置が第二のコンテンツ画像符号化部をさらに備え、
前記第二のコンテンツ処理装置が第三のコンテンツ画像復号化部をさらに備え、
前記第二のコンテンツ画像符号化部が前記第一のコンテンツ画像信号を符号化してコンテンツ符号化画像を生成し、
前記第一のデータ送受信部がコンテンツ符号化画像信号を前記第二のコンテンツ処理装置に送信し、
前記第三のデータ送受信部が前記コンテンツ符号化画像信号を受信し、
前記第三のコンテンツ画像復号化部が前記コンテンツ符号化画像信号を復号化し、前記コンテンツ表示装置に出力することを特徴とする請求項９に記載の車両用コンテンツデータ表示システム。
【請求項１１】
前記第一のコンテンツ処理装置が第二のコンテンツ画像符号化部をさらに備え、
前記コンテンツ表示装置が第二のコンテンツ画像復号化部をさらに備え、
前記第二のコンテンツ画像符号化部が前記第一のコンテンツ画像信号を符号化してコンテンツ符号化画像を生成し、
前記第一のデータ送受信部がコンテンツ符号化画像信号を前記コンテンツ表示装置に送信し、
前記第二のデータ送受信部が前記コンテンツ符号化画像信号を受信し、
前記第二のコンテンツ画像復号化部が前記コンテンツ符号化画像信号を復号化し、前記コンテンツ表示部に表示することを特徴とする請求項９に記載の車両用コンテンツデータ表示システム。
【発明の詳細な説明】
【技術分野】
【０００１】
本発明は、車両内のサーバに蓄積されたコンテンツを表示する車両用コンテンツデータ表示システムに関するものである。
【背景技術】
【０００２】
従来のディスプレイを複数有する車載システムとして、アプリケーションを実行できる複数のモニタと、アプリケーションサーバからなる車両用マルチモニタシステムが知られている（例えば特許文献１参照）。
【０００３】
図１０は従来の車両用マルチモニタシステムの構成を示すブロック図である。カーナビ８１、スピードメータ８２は、車載サーバ８３が提供するアプリケーションをダウンロードして実行する。そして、例えばスピードメータ８２のメータアプリケーションに障害が発生し、動作しなくなった場合は、カーナビ８１がメータアプリケーションをダウンロードして実行する。
【先行技術文献】
【特許文献】
【０００４】
【特許文献１】特開２００５−２２１６６４号公報
【発明の概要】
【発明が解決しようとする課題】
【０００５】
しかしながら、従来のディスプレイを複数有する車両用マルチモニタシステムにおいては、スピードメータのアプリケーションを実行しているモニタのＣＰＵで、スピードメータアプリケーション以外のアプリケーションも同時に動作させた場合には、ＣＰＵ処理が増大し、スピードメータの描画速度が遅くなる問題があった。また、スピードメータ８２で動作させていたアプリケーションに障害が発生し、表示できなくなった場合は、スピードメータ８２以外のモニタに表示させるため、運転者がアプリケーションの表示を確認しづらくなるという問題があった。
【０００６】
本発明は、従来の問題を解決するためになされたもので、スピードメータ等の車両情報画像とコンテンツ画像を同じディスプレイに表示する際に、車両情報の描画がコンテンツ処理によって影響されず、また、コンテンツ処理に障害が発生した場合にも同じディスプレイに同じコンテンツを表示することのできる車両用コンテンツデータ表示システムを提供することを目的とする。
【課題を解決するための手段】
【０００７】
上記目的を達成するために本発明は、ネットワークを介してコンテンツを供給するコンテンツ供給部を備えたコンテンツサーバ装置と、ネットワークを介してコンテンツサーバ装置が供給するコンテンツを取得する第一のコンテンツ取得部と、取得したコンテンツから第一のコンテンツ画像信号を生成して出力する第一のコンテンツ処理部を備えた第一のコンテンツ処理装置と、車両情報を取得する車両情報取得部と、取得した車両情報から車両情報画像信号を生成する車両情報画像生成部と、第一のコンテンツ処理装置が出力した第一のコンテンツ画像信号と、車両情報画像信号を表示する車両情報表示部を備えた車両情報表示装置と、ネットワークを介してコンテンツサーバ装置が供給するコンテンツを取得する第二のコンテンツ取得部と、取得したコンテンツから第二のコンテンツ画像信号を生成する第二のコンテンツ処理部と、第二のコンテンツ画像信号を表示するコンテンツ表示部を備えたコンテンツ表示装置を備えたことを特徴とする。
【発明の効果】
【０００８】
本発明によれば、車両情報表示装置を直接車内ネットワークと接続せず、また車両情報表示装置とコンテンツ処理装置を分離することにより、運転者に重要な車両情報を安定して表示することができる。
【図面の簡単な説明】
【０００９】
【図１】本発明の実施の形態１における車両用コンテンツデータ表示システム１０の構成を示すブロック図
【図２】本発明の実施の形態１における第１コンテンツ処理装置１の構成を示すブロック図
【図３】本発明の実施の形態１における車両情報表示装置２の構成を示すブロック図
【図４】本発明の実施の形態１における車両情報表示装置２の表示部２６の表示例を示す模式図
【図５】本発明の実施の形態１における第１コンテンツ表示装置３の構成を示すブロック図
【図６】本発明の実施の形態１における第１コンテンツ処理装置１がコンテンツ処理を行う場合の、第１コンテンツ処理装置１と第１コンテンツ表示装置３の動作フロー図
【図７】本発明の実施の形態２における車両用コンテンツデータ表示システム１０の構成を示すブロック図
【図８】本発明の実施の形態２における第２コンテンツ処理装置６の構成を示すブロック図
【図９】本発明の実施の形態２における第２コンテンツ表示装置７の構成を示すブロック図
【図１０】本発明の実施の形態２における第２コンテンツ処理装置６がコンテンツ処理を行う場合の、第１コンテンツ処理装置１と第２コンテンツ処理装置６と第２コンテンツ表示装置７の動作フロー図
【図１１】従来例の車両用マルチモニタシステムの構成を示すブロック図
【発明を実施するための形態】
【００１０】
（実施の形態１）
以下、本発明の実施の形態１における車両用コンテンツデータ表示システムについて図面を参照しながら説明する。
【００１１】
図１は本発明の実施の形態１における車両用コンテンツデータ表示システムの構成を示すブロック図である。車両用コンテンツデータ表示システム１０は、第１コンテンツ処理装置１、車両情報表示装置２、第１コンテンツ表示装置３、コンテンツサーバ装置４を備える。
【００１２】
第１コンテンツ処理装置１と第１コンテンツ表示装置３とコンテンツサーバ装置４とはそれぞれ車内ネットワーク５に接続可能な構成であり、それぞれの機器が車内ネットワーク５を介してデータの送受信を行う。
【００１３】
また、車両情報表示装置２は、車両情報通信ライン８に接続して後述するデータ通信処理を実行する。
【００１４】
コンテンツサーバ装置４は、装置内にコンテンツデータを保持し、第１コンテンツ処理装置１、第１コンテンツ表示装置３の要求に応じてコンテンツデータを車内ネットワーク５を介して供給する。
【００１５】
第１コンテンツ処理装置１は、ユーザからの操作に基づいてコンテンツサーバ装置４に対してコンテンツデータの送信を要求し、この要求に応じてコンテンツサーバ装置４から送信されたコンテンツデータを受信し、処理して画像データに変換し、車両情報表示装置２に映像信号として送信する。
【００１６】
車両情報表示装置２は液晶ディスプレイを備え、第１コンテンツ処理装置１から受信した映像信号を液晶ディスプレイに表示する。
【００１７】
また、車両情報表示装置２は車速情報や累積走行距離情報などからなる車両情報を車両情報通信ライン８から受信し、画像データに変換して液晶ディスプレイに表示する。
【００１８】
第１コンテンツ表示装置３は液晶ディスプレイを備え、ユーザからの操作に基づいてコンテンツサーバ装置４にコンテンツデータの送信を要求し、この要求に応じてコンテンツサーバ装置４から送信されたコンテンツデータを処理して画像データに変換して液晶ディスプレイに表示する。
【００１９】
ユーザ操作装置９は、ユーザがコンテンツ選択などの操作を行うための装置で、ユーザの操作に基づいてコマンドを第１コンテンツ処理装置１に出力する。
【００２０】
図２は第１コンテンツ処理装置１の構成を示すブロック図である。第１コンテンツ処理装置１は、データ送受信部１１、コンテンツ処理部１２、コンテンツ処理監視部１３、コンテンツ処理状態保存部１４、コンテンツ画像符号化部１５、コンテンツ画像復号化部１６、画像合成部１７、映像信号送信部１８で構成される。
【００２１】
データ送受信部１１は、車内ネットワーク５を介してデータの送信を行い、また車内ネットワーク５を介して他の装置からデータを受信して、受信したデータの内容に基づいてコンテンツ画像復号化部１６、コンテンツ処理部１２、コンテンツ処理監視部１３のいずれかに受信データを出力する。
【００２２】
コンテンツ処理部１２は、例えばＣＰＵで動作するタスクで実現され、受信したコンテンツデータをコンテンツ画像データに変換し、画像合成部１７に出力する。
また、コンテンツ処理部１２は、コンテンツ処理監視部１３に対して周期的に生存信号を出力する。
【００２３】
また、コンテンツ処理部１２は、コンテンツ画像符号化部１５とコンテンツ画像復号化部１６に対して、パラメータ設定や動作開始、終了などの制御を行う。
【００２４】
コンテンツ処理監視部１３は、例えばＣＰＵで動作するタスクで実現され、コンテンツ処理部１２が出力する、処理中のコンテンツを特定する情報と処理のステータス情報とからなるコンテンツ処理状態情報を、コンテンツ処理状態保存部１４に保存する。コンテンツ処理状態保存部１４は、例えばＤＲＡＭで実現される。
【００２５】
また、コンテンツ処理監視部１３は、コンテンツ処理部１２が出力する生存信号の間隔が一定の時間以上となった場合、コンテンツ処理状態保存部１４に蓄積されている現在のコンテンツ処理状態情報を第１コンテンツ表示装置３に送信し、コンテンツ処理部１２をリセットする。
【００２６】
コンテンツ画像符号化部１５は、例えばＣＰＵで制御されるＬＳＩで実現され、コンテンツ処理部１２が出力したコンテンツ画像データを符号化してコンテンツ符号化画像に変換する。
【００２７】
コンテンツ画像復号化部１６は、例えばＣＰＵで制御されるＬＳＩで実現され、車内ネットワーク５を介して受信した符号化画像を復号化して受信画像に変換する。
【００２８】
画像合成部１７は、例えばＣＰＵで制御されるＬＳＩで実現され、コンテンツ処理部１２が出力するコンテンツ画像と、コンテンツ画像復号化部１６が出力する受信画像を合成して、合成画像を生成する。
【００２９】
映像信号送信部１８は、画像合成部１７が生成した合成画像を、車両情報表示装置２が表示できる形式の映像信号に変換して車両情報表示装置２へ出力する。
【００３０】
図３は車両情報表示装置２の構成を示すブロック図である。車両情報表示装置２は、車両情報受信部２１、車両情報画像生成部２２、映像信号受信部２３、画像合成部２４、映像信号出力部２５、表示部２６で構成される。
【００３１】
車両情報受信部２１は、車両情報通信ライン８から車両情報を受信して車両情報画像生成部２２に出力する。
【００３２】
車両情報画像生成部２２は、例えばＣＰＵで動作するタスクで実現され、車両情報に含まれる車速情報や累積走行距離情報などのデータを車両情報画像に変換する。
映像信号受信部２３は、第１コンテンツ処理装置１が出力した映像信号を外部入力画像に変換する。
【００３３】
画像合成部２４は、例えばＣＰＵで制御されるＬＳＩで実現され、車両情報画像生成部２２が出力した車両情報画像と、映像信号受信部２３が出力した外部入力画像を合成して、合成画像を出力する。映像信号出力部２５は合成画像を映像信号に変換して出力し、表示部２６が映像を表示する。
【００３４】
図４は車両情報表示装置２の表示部２６の表示例を示す平面図である。この表示例では、表示部２６の一部の領域を外部入力画像表示領域３０とし、映像信号受信部２３が出力した外部入力画像を表示する。
【００３５】
図５は第１コンテンツ表示装置３の構成を示すブロック図である。コンテンツ処理部３１と表示部３２とが接続された構成であり、コンテンツ処理部３１は第１コンテンツ処理装置１と同一である。
【００３６】
以上のように構成された車両用コンテンツデータ表示システムについて、以下にその処理動作を説明する。
【００３７】
図６は第１コンテンツ処理装置１がコンテンツの画像化処理を行う場合の、第１コンテンツ処理装置１と第１コンテンツ表示装置３の動作フロー図である。
第１コンテンツ処理装置１のコンテンツ処理部１２は、ユーザ操作装置９が出力するコマンドに基づいてコンテンツサーバ装置４にコンテンツを要求し（Ｓ１０１）、取得したコンテンツを画像データに変換して、車両情報表示装置２に出力する（Ｓ１０２）。
【００３８】
コンテンツ処理監視部１３はコンテンツ処理中の障害発生を監視し（Ｓ１０３）、第１コンテンツ処理装置１のコンテンツ処理部１２が所定の時間以上生存信号を出力しなかった場合、コンテンツ処理監視部１３はコンテンツ処理状態情報を第１コンテンツ表示装置３に送信し（Ｓ１０５）、コンテンツ処理部１２をリセットする（Ｓ１０６）。
【００３９】
コンテンツ処理中に障害が発生していない間は、コンテンツ処理の終了かどうかを判定し（Ｓ１０４）、終了までコンテンツ処理を継続する。
【００４０】
第１コンテンツ表示装置３は、第１コンテンツ処理装置１からコンテンツ処理状態情報を受信すると（Ｓ１１１）、コンテンツ処理状態情報に含まれるコンテンツ特定情報に基づいて、コンテンツをコンテンツサーバ装置４に要求し（Ｓ１１２）、コンテンツを画像データに変換、および符号化を行って（Ｓ１１３）、コンテンツ符号化画像を車内ネットワーク５を介して車両情報表示装置２に送信する（Ｓ１１４）。
【００４１】
その後、第１コンテンツ表示装置３はコンテンツ処理が終了かどうかを判定し（Ｓ１１５）、終了でなければ処理をＳ１１３から繰り返す。
【００４２】
第１コンテンツ処理装置１は、コンテンツ符号化画像を受信すると（Ｓ１０７）、コンテンツ符号化画像を復号化して映像信号を出力する（Ｓ１０８）。
その後、第１コンテンツ処理装置１はコンテンツ処理が終了かどうかを判定し（Ｓ１０９）、終了でなければ処理をＳ１０７から繰り返す。
【００４３】
以上のように本実施の形態によれば、車両情報表示装置とコンテンツ処理装置を分離して、車両情報表示処理とコンテンツ処理を同一のＣＰＵではなく異なるＣＰＵによって動作させることにより、コンテンツ処理によってＣＰＵの負荷が高くなった場合や、ＣＰＵの動作に障害が発生した場合においても、車の走行速度や警告灯などのように表示の遅延や停止が許容されない車両情報の表示処理には影響しないため、運転者に重要な車両情報を安定して表示することができる。
【００４４】
また、コンテンツ処理装置のコンテンツ処理に障害が発生した際に、コンテンツ表示装置でコンテンツ処理を行い、コンテンツ画像をコンテンツ処理装置に送信することにより、コンテンツ処理を続けて行い、コンテンツ画像を車両情報表示装置に表示することができる。
【００４５】
また、コンテンツ表示装置が生成したコンテンツ画像を車両情報表示装置に表示する際に、ネットワークを介してコンテンツ画像をコンテンツ処理装置に送信することにより、コンテンツ表示装置と車両情報表示装置またはコンテンツ処理装置の間に映像信号伝送のための結線を行うことなく、コンテンツ画像を車両情報表示装置に表示することができる。
【００４６】
なお、本実施の形態において、第１コンテンツ処理装置１でコンテンツ処理に障害が発生した場合に、第１コンテンツ表示装置３が生成したコンテンツ画像を第１コンテンツ表示装置３が表示することにより、ネットワークを用いた映像信号伝送を行わないため、高画質な画像や高フレームレートの映像を、ネットワーク利用時よりも少ない遅延で表示することができる。
【００４７】
また、本実施の形態においては、第１コンテンツ処理装置１のコンテンツの画像化処理に障害が発生した際に、その後第１コンテンツ表示装置３がコンテンツの画像化処理を行う場合の動作を説明したが、逆に第１コンテンツ表示装置３のコンテンツの画像化処理に障害が発生した際には、その後第１コンテンツ処理装置１がコンテンツの画像化処理を行い、コンテンツ画像を第１コンテンツ表示装置３に送信することにより、コンテンツ画像を続けて第１コンテンツ表示装置に表示することができる。
【００４８】
また、第１コンテンツ表示装置３でコンテンツ処理に障害が発生した場合に、第１コンテンツ処理装置１が生成したコンテンツ画像を、車両情報表示装置２表示することにより
、ネットワークを用いた映像信号伝送を行わないため、高画質な画像や高フレームレートの映像を、ネットワーク利用時よりも少ない遅延で表示することができる。
【００４９】
また、第１コンテンツ表示装置３と第１コンテンツ処理装置１の間、第１コンテンツ表示装置３と車両情報表示装置２の間に、映像信号伝送のための結線を行う構成とすることにより、ネットワークを用いずに映像信号を伝送するため、高画質な画像や高フレームレートの映像を、ネットワーク利用時よりも少ない遅延で伝送し、表示することができる。
【００５０】
また、本実施の形態において、第１コンテンツ処理装置１のコンテンツ処理部１２で、複数のコンテンツを処理していた場合は、Ｓ１０６のコンテンツ処理リセット後に、１つ以上のコンテンツをコンテンツ処理部１２で処理し、その他のコンテンツを第１コンテンツ表示装置３で処理してもよい。これにより、コンテンツ処理負荷を分散することができるため、障害が発生した後のコンテンツ処理中に障害が発生しにくくなるという効果が得られる。
【００５１】
また、コンテンツサーバは車内ネットワークに接続された一つのサーバとして説明したが、コンテンツサーバは異なる種類のサーバが複数あってもよい。また、コンテンツサーバは車外にあって無線通信によって接続するようにしてもよい。
【００５２】
また、車内ネットワークは有線、無線の様々な方式によって実施可能である。
【００５３】
また、車内ネットワークに接続される車両情報表示装置、コンテンツ処理装置、コンテンツ表示装置の数は、本実施の形態で示した数に限らない。
【００５４】
また、車両情報表示装置、コンテンツ処理装置、コンテンツ表示装置は、カーナビゲーション装置などの機器と一体化させた構成としてもよい。
（実施の形態２）
以下、本発明の実施の形態２における車両用コンテンツデータ表示システムについて図面を参照しながら説明する。
【００５５】
図７は本発明の実施の形態２における車両用コンテンツデータ表示システムの構成を示すブロック図である。車両用コンテンツデータ表示システム１０は、第１コンテンツ処理装置１、車両情報表示装置２、第２コンテンツ処理装置６、第２コンテンツ表示装置７、コンテンツサーバ装置４を備える。
【００５６】
第１コンテンツ処理装置１と第２コンテンツ処理装置６とコンテンツサーバ装置４とはそれぞれ車内ネットワーク５に接続可能な構成であり、それぞれの機器が車内ネットワーク５を介してデータの送受信を行う。
【００５７】
また、車両情報表示装置２は、車両情報通信ライン８に接続して後述するデータ通信処理を実行する。
【００５８】
コンテンツサーバ装置４は、装置内にコンテンツデータを保持し、第１コンテンツ処理装置１、第２コンテンツ処理装置６の要求に応じてコンテンツデータを車内ネットワーク５を介して供給する。
【００５９】
第２コンテンツ処理装置６は、第１コンテンツ処理装置１と同一の構成である。以下、実施の形態１と構成で異なる点について説明する。
【００６０】
第２コンテンツ処理装置６は、ユーザからの操作に基づいてコンテンツサーバ装置４に
対してコンテンツデータの送信を要求し、この要求に応じてコンテンツサーバ装置４から送信されたコンテンツデータを受信し、処理して画像データに変換し、第２コンテンツ表示装置７に映像信号として送信する。
【００６１】
第２コンテンツ表示装置７は液晶ディスプレイを備え、第２コンテンツ処理装置６から受信した映像信号を液晶ディスプレイに表示する。
【００６２】
また、第２コンテンツ表示装置７はタッチパネルを備え、ユーザによりタッチされた座標のデータを第２コンテンツ処理装置６に出力する。
【００６３】
また、第２コンテンツ表示装置７は車内ネットワーク５からコンテンツ符号化画像を受信し、画像データに変換して液晶ディスプレイに表示する。
【００６４】
図８は第２コンテンツ処理装置６の構成を示すブロック図である。第２コンテンツ処理装置６は、データ送受信部４１、コンテンツ処理部４２、コンテンツ処理監視部４３、コンテンツ処理状態保存部４４、コンテンツ画像符号化部４５、画像合成部４７、映像信号送信部４８で構成され、各構成要素の機能は第１コンテンツ処理装置と同一である。
【００６５】
図９は第２コンテンツ表示装置７の構成を示すブロック図である。第２コンテンツ表示装置７は、データ送受信部５１、コンテンツ画像復号化部５２、映像信号受信部５３、動画像データ蓄積部５４、動画像復号化部５５、画像合成部５６、映像信号出力部５７、表示部５８で構成される。
【００６６】
データ送受信部５１は、車内ネットワーク５を介して他の装置から符号化画像を受信して、コンテンツ画像復号化部５２に出力する。
コンテンツ画像復号化部５２は、例えばＣＰＵを内蔵したＬＳＩで実現され、受信した符号化画像を復号化して受信画像に変換する。
【００６７】
映像信号受信部５３は、第２コンテンツ処理装置６が出力した映像信号を外部入力画像に変換する。
【００６８】
動画像データ蓄積部５４は、例えばフラッシュメモリで実現され、動画像データを蓄積する。
【００６９】
動画像復号化部５５は、例えばＣＰＵで動作するタスクで実現され、動画像データ蓄積部５４に蓄積されている動画像データを復号化して動画像を生成し、出力する。
【００７０】
画像合成部５６は、例えばＣＰＵを内蔵したＬＳＩで実現され、コンテンツ画像復号化部５２が出力した受信画像と、映像信号受信部５３が出力した外部入力画像と、動画像復号化部５５が出力した動画像を合成して、合成画像を出力する。
【００７１】
映像信号出力部５７は合成画像を映像信号に変換して表示部５８へ出力し、表示部５８が映像を表示する。その他の構成は実施の形態１と同一である。
【００７２】
以上のように構成された車両用コンテンツデータ表示システムについて、以下にその処理動作を説明する。
【００７３】
図９は第２コンテンツ処理装置６がコンテンツの画像化処理を行う場合の、第１コンテンツ処理装置１と第２コンテンツ処理装置６と第２コンテンツ表示装置７の動作フロー図である。
【００７４】
第２コンテンツ処理装置６は、第２コンテンツ表示装置７におけるユーザのタッチ操作に基づいてコンテンツサーバ装置４にコンテンツを要求し（Ｓ１２１）、取得したコンテンツを画像データに変換して、第２コンテンツ表示装置７に出力する（Ｓ１２２）。
【００７５】
コンテンツ処理中に障害が発生し、第２コンテンツ処理装置６のコンテンツ処理部４２が所定の時間以上生存信号を出力しなかった場合、コンテンツ処理監視部４３はコンテンツ処理中の障害発生を監視し（Ｓ１２３）、コンテンツ処理状態情報を第１コンテンツ処理装置１に送信し（Ｓ１２５）、コンテンツ処理部４２をリセットする（Ｓ１２６）。
【００７６】
コンテンツ処理中に障害が発生していない間は、コンテンツ処理の終了かどうかを判定し（Ｓ１２４）、コンテンツ処理の終了までコンテンツ処理を継続する。
【００７７】
第１コンテンツ処理装置１は、第２コンテンツ処理装置６からコンテンツ処理状態情報を受信すると（Ｓ１３１）、コンテンツ処理状態情報に含まれるコンテンツ特定情報に基づいて、コンテンツをコンテンツサーバ装置４に要求し（Ｓ１３２）、コンテンツを画像データに変換、および符号化を行って（Ｓ１３３）、コンテンツ符号化画像を車内ネットワーク５を介して第２コンテンツ表示装置７に出力する（Ｓ１３４）。
【００７８】
その後、第１コンテンツ処理装置１はコンテンツ処理が終了かどうかを判定し（Ｓ１３５）、コンテンツ処理が終了でなければ処理をＳ１３３から繰り返す。
【００７９】
第２コンテンツ表示装置７は、コンテンツ符号化画像を受信すると（Ｓ１４１）、コンテンツ符号化画像を復号化してコンテンツ画像をする（Ｓ１４２）。
【００８０】
その後、第２コンテンツ表示装置７はコンテンツ処理が終了かどうかを判定し（Ｓ１４３）、コンテンツ処理が終了でなければ、処理をＳ１４１から繰り返す。
【００８１】
以上のように本実施の形態によれば、第２コンテンツ表示装置と第２コンテンツ処理装置を分離して、例えば動画像復号化のようなＣＰＵで動作させる処理とコンテンツ処理のように複数の処理を同一のＣＰＵではなく異なるＣＰＵによって動作させることにより、一方の処理によってＣＰＵの負荷が高くなった場合や、ＣＰＵの動作に障害が発生した場合においても、他方の処理を安定して動作させることができる。
【００８２】
また、第２コンテンツ処理装置のコンテンツ処理に障害が発生した際に、第１コンテンツ処理装置でコンテンツ処理を行い、コンテンツ画像を第２コンテンツ表示装置に送信することにより、コンテンツ処理を続けて行い、コンテンツ画像を第２コンテンツ表示装置に表示することができる。
【００８３】
また、第１コンテンツ処理装置が生成したコンテンツ画像を第２コンテンツ表示装置に表示する際に、ネットワークを介してコンテンツ画像をコンテンツ処理装置に送信することにより、第１コンテンツ処理装置と第２コンテンツ処理装置または第２コンテンツ表示装置の間に映像信号伝送のための結線を行うことなく、コンテンツ画像を第２コンテンツ表示装置に表示することができる。
【００８４】
なお、本実施の形態において、第２コンテンツ処理装置６でコンテンツ処理に障害が発生した場合に、第１コンテンツ処理装置１が生成したコンテンツ画像を車両情報表示装置２が表示することにより、ネットワークを用いた映像信号伝送を行わないため、高画質な画像や高フレームレートの映像を、ネットワーク利用時よりも少ない遅延で表示することができる。
【００８５】
また、本実施の形態においては、第２コンテンツ処理装置６のコンテンツの画像化処理に障害が発生した際に、その後第１コンテンツ処理装置１がコンテンツの画像化処理を行う場合の動作を説明したが、逆に第１コンテンツ処理装置１のコンテンツの画像化処理に障害が発生した際には、その後第２コンテンツ処理装置６がコンテンツの画像化処理を行い、コンテンツ画像を第１コンテンツ処理装置１に送信することにより、コンテンツ画像を続けて車両情報表示装置２に表示することができる。
【００８６】
また、第１コンテンツ処理装置１でコンテンツ処理に障害が発生した場合に、第２コンテンツ処理装置６が生成したコンテンツ画像を、第２コンテンツ表示装置７に表示することにより、ネットワークを用いた映像信号伝送を行わないため、高画質な画像や高フレームレートの映像を、ネットワーク利用時よりも少ない遅延で表示することができる。
【００８７】
また、第１コンテンツ処理装置１と第２コンテンツ表示装置７の間、第１コンテンツ処理装置１と第２コンテンツ処理装置６の間、第２コンテンツ処理装置６と車両情報表示装置２の間に映像信号伝送のための結線を行う構成とすることにより、ネットワークを用いずに映像信号を伝送するため、高画質な画像や高フレームレートの映像を、ネットワーク利用時よりも少ない遅延で伝送し、表示することができる。
【００８８】
また、第２コンテンツ処理装置６のコンテンツ処理部４２で、複数のコンテンツを処理していた場合は、Ｓ１２６のコンテンツ処理リセット後に、１つ以上のコンテンツをコンテンツ処理部４２で処理し、その他のコンテンツを第１コンテンツ処理装置１で処理してもよい。これにより、コンテンツ処理負荷を分散することができるため、障害が発生した後のコンテンツ処理中に障害が発生しにくくなるという効果が得られる。
【産業上の利用可能性】
【００８９】
本発明の車両用コンテンツデータ表示システムは、メーターパネル装置や同乗者用ディスプレイを含む車載情報ＡＶシステムとして有用である。
【符号の説明】
【００９０】
１  第１コンテンツ処理装置
２  車両情報表示装置
３  第１コンテンツ表示装置
４  コンテンツサーバ装置
５  車内ネットワーク
６  第２コンテンツ処理装置
７  第２コンテンツ表示装置
８  車両情報通信ライン
９  ユーザ操作装置
１０  車両用コンテンツデータ表示システム
１１  データ送受信部
１２  コンテンツ処理部
１３  コンテンツ処理監視部
１４  コンテンツ処理状態保存部
１５  コンテンツ画像符号化部
１６  コンテンツ画像復号化部
１７  画像合成部
１８  映像信号送信部
２１  車両情報受信部
２２  車両情報画像生成部
２３  映像信号受信部
２４  画像合成部
２５  映像信号出力部
２６  表示部
３１  コンテンツ処理部
３２  表示部
４１  データ送受信部
４２  コンテンツ処理部
４３  コンテンツ処理監視部
４４  コンテンツ処理状態保存部
４５  コンテンツ画像符号化部
４７  画像合成部
４８  映像信号送信部
５１  データ送受信部
５２  コンテンツ画像復号化部
５３  映像信号受信部
５４  動画像データ蓄積部
５５  動画像復号化部
５６  画像合成部
５７  映像信号出力部
５８  表示部
【図１】
2012090088.tif 000003
【図２】
2012090088.tif 000004
【図３】
2012090088.tif 000005
【図４】
2012090088.tif 000006
【図５】
2012090088.tif 000007
【図６】
2012090088.tif 000008
【図７】
2012090088.tif 000009
【図８】
2012090088.tif 000010
【図９】
2012090088.tif 000011
【図１０】
2012090088.tif 000012
【図１１】
2012090088.tif 000013